(57)【特許請求の範囲】
【請求項１】
低解像度の画像データ又は高解像度の画像データが入力される入力手段と、
前記高解像度の画像データを低周波成分データと第１の高周波成分データとに分割する分割手段と、
前記低解像度の画像データ又は前記低周波成分データを符号化する第１の符号化手段と、
前記第１の高周波成分データを符号化する第２の符号化手段と、
高域通過型フィルタを用いて前記低周波成分データをフィルタリングし、ダウンサンプリングすることにより前記低周波成分データにおける高周波成分データである第２の高周波成分データを抽出する抽出手段と、
所定の条件を満たす場合に、前記抽出手段により抽出された前記第２の高周波成分データを前記第２の符号化手段に入力する付加手段と、
を備え、
前記第１の符号化手段は、データを複数のブロックに分割するブロック化部を備え、当該ブロック単位で符号化処理を実行するように構成され、
前記付加手段は、当該ブロック単位で、当該ブロック毎の前記所定の条件を満たす場合に、前記抽出手段により抽出された前記第２の高周波成分データを前記第２の符号化手段へ入力するように構成され、
前記所定の条件は、前記第１の符号化手段における量子化パラメータに関する条件とする
ことを特徴とする符号化装置。
【請求項２】
前記付加手段は、前記量子化パラメータが示す除数が、所定の値以下の場合は、前記第２の高周波成分データを前記第２の符号化手段へ入力しないことを特徴とする請求項１に記載の符号化装置。
【請求項３】
低解像度の画像データ又は高解像度の画像データが入力される入力手段と、
前記高解像度の画像データを低周波成分データと第１の高周波成分データとに分割する分割手段と、
前記低解像度の画像データ又は前記低周波成分データを符号化する第１の符号化手段と、
前記第１の高周波成分データを符号化する第２の符号化手段と、
高域通過型フィルタを用いて前記低周波成分データをフィルタリングし、ダウンサンプリングすることにより前記低周波成分データにおける高周波成分データである第２の高周波成分データを抽出する抽出手段と、
所定の条件を満たす場合に、前記抽出手段により抽出された前記第２の高周波成分データを前記第２の符号化手段に入力する付加手段と、
を備え、
前記所定の条件は、画像のアクティビティ情報に関する条件とすることを特徴とする符号化装置。
【請求項４】
低解像度の画像データ又は高解像度の画像データが入力される入力手段と、
前記高解像度の画像データを低周波成分データと第１の高周波成分データとに分割する分割手段と、
前記低解像度の画像データ又は前記低周波成分データを符号化する第１の符号化手段と、
前記第１の高周波成分データを符号化する第２の符号化手段と、
高域通過型フィルタを用いて前記低周波成分データをフィルタリングし、ダウンサンプリングすることにより前記低周波成分データにおける高周波成分データである第２の高周波成分データを抽出する抽出手段と、
所定の条件を満たす場合に、前記抽出手段により抽出された前記第２の高周波成分データを前記第２の符号化手段に入力する付加手段と、
を備え、
前記第１の符号化手段は、データを複数のブロックに分割するブロック化部を備え、当該ブロック単位で符号化処理を実行するように構成され、
前記付加手段は、当該ブロック単位で、当該ブロック毎の前記所定の条件を満たす場合に、前記抽出手段により抽出された前記第２の高周波成分データを前記第２の符号化手段へ入力するように構成され、
前記所定の条件は、前記ブロック毎の符号量に関する条件とすることを特徴とする符号化装置。
【請求項５】
前記第１の符号化手段による符号と、前記第２の符号化手段による符号と、を多重化して出力する多重化手段を備えたことを特徴とする請求項１乃至４のいずれか１項に記載の符号化装置。
【請求項６】
前記多重化手段は、時間多重を実行することを特徴とする請求項５に記載の符号化装置。
【請求項７】
前記多重化手段は、周波数多重を実行することを特徴とする請求項５に記載の符号化装置。
【請求項８】
前記分割手段が、
二次元の低域通過型フィルタ及び二次元のダウンサンプラと、
二次元の高域通過型フィルタ及び二次元のダウンサンプラと、
を備えたことを特徴とする請求項１乃至７のいずれか１項に記載の符号化装置。
【請求項９】
前記分割手段が、
水平方向の一次元低域通過型フィルタ、水平方向の一次元ダウンサンプラ、垂直方向の一次元低域通過型フィルタ、及び、垂直方向の一次元ダウンサンプラと、
水平方向の一次元高域通過型フィルタ、水平方向の一次元ダウンサンプラ、垂直方向の一次元高域通過型フィルタ、及び、垂直方向の一次元ダウンサンプラと、
を備えたことを特徴とする請求項１乃至８のいずれか１項に記載の符号化装置。
【発明の詳細な説明】
【０００１】
【発明の属する技術分野】
本発明は、映像信号等の画像データの高能率符号化／復号化のための符号化装置及び符号化方法、復号化装置及び復号化方法、及び、画像データ伝送システムに関する。
【０００２】
【従来の技術】
近年、デジタル信号処理技術の進歩により、動画像や静止画像、音声等、大量のデジタル情報を高能率符号化し、小型磁気媒体への記録や通信媒体への伝送を行なうことが可能となっている。こうした技術を応用し、動画と静止画、さらには解像度の異なる複数の映像を混在して扱えるマルチメディア機器の検討が行われている。
【０００３】
図８は、低解像度映像と高解像度映像とをそれぞれ符号化可能な従来の高能率符号化装置の構成例である。
【０００４】
係る高能率符号化装置は、映像信号入力端子８０１と、切替手段８０２と、低解像度映像符号化手段８０３と、低解像度映像符号出力端子８０４と、低域通過型フィルタ８０５と、ダウンサンプラ８０６と、高域通過型フィルタ８０７と、ダウンサンプラ８０８と、高域符号化手段８０９と、高域符号出力端子８１０と、を備える。
【０００５】
映像信号入力端子８０１には、低解像度映像信号、或いは、水平垂直とも２倍の解像度を持つ高解像度映像信号のいずれか一方が入力され、切替手段８０２、低域通過型フィルタ８０３及び高域通過型フィルタ８０７に供給される。
【０００６】
入力される映像信号が、高解像度映像信号の場合は、低域通過型フィルタ８０５および高域通過型フィルタ８０７によって低域信号と高域信号に分割されて、それぞれダウンサンプラ８０６、８０８に供給される。
【０００７】
図１０は、低域通過型フィルタ８０５および高域通過型フィルタ８０７による周波数分割の例である。低域通過型フィルタ８０５は、図１０における二次元周波数領域ＬＬ、すなわち、水平垂直とも高解像度映像信号の半分の低帯域のみを通過させる。一方の前記高域通過型フィルタ８０７は、図１０におけるＬＨ，ＨＬ，ＨＨ領域のみを通過させる。
【０００８】
ダウンサンプラ８０６は、低域通過型フィルタ８０５から供給される低域信号を、水平垂直とも半分に間引き、低解像度映像と同一画素数の映像信号に変換し、切替手段８０２に供給する。
【０００９】
切替手段８０２は映像信号入力端子８０１より直接供給される映像信号と、ダウンサンプラ８０６から供給される映像信号とのいずれか一方を選択し、これを低解像度映像符号化手段８０４に供給する。
【００１０】
映像信号入力端子８０１への入力信号が高解像度映像信号である場合には、ダウンサンプラ８０６より供給される映像信号が選択され、入力信号が低解像度映像信号である場合には、映像信号入力端子８０１より直接供給される映像信号が選択される。
【００１１】
低解像度映像符号化手段８０３は、切替手段８０３より供給される信号を、ブロック化、直交変換、量子化、エントロピー符号化の各処理により低解像度映像符号に変換し、これを低解像度映像符号出力端子８０４に出力する。
【００１２】
ダウンサンプラ８０８は、高域通過型フィルタ８０７から供給される高域信号を水平垂直に間引き、高域符号化手段８０９に供給する。高域符号化手段８０９は、供給される信号を量子化エントロピー符号化の各処理により高域符号へと変換し、これを高域符号出力端子８１０に出力する。
【００１３】
次に、図９に従って、従来の復号化装置の構成例について説明する。
【００１４】
係る復号化装置は、低解像度映像符号入力端子９０１と、低解像度映像復号化手段９０２と、切替手段９０３と、映像信号出力端子９０４と、高域符号入力端子９０５と、高域復号化手段９０６と、アップサンプラ９０７と、低域通過型フィルタ９０８と、アップサンプラ９０９と、高域通過型フィルタ９１０と、加算手段９１１と、を備える。
【００１５】
低解像度映像符号入力端子９０１に供給される映像符号は、低解像度映像復号化手段９０２に供給される。この映像符号は、符号化の際に、高解像度映像信号から得たものである場合は、図１０における周波数帯域ＬＬに相当する。
【００１６】
低解像度映像復号化手段９０２は、供給される映像符号にエントロピー復号化、逆量子化、逆直交変換、ラスター化を施すことで映像信号へ復号し、復号した映像信号を切替手段９０３およびアップサンプラ９０７に供給する。
【００１７】
一方、高域符号入力端子９０５に供給される高域符号は、高域復号化手段９０６に供給される。該高域符号は、高解像度映像信号の符号化の際の、図１０における周波数帯域ＬＨ，ＨＬ，ＨＨを符号化した符号である。
【００１８】
高域復号化手段９０６は、該高域符号をエントロピー復号化及び逆量子化し、アップサンプラ９０９に供給する。
【００１９】
アップサンプラ９０７、９０９は供給される信号列に対して水平・垂直に０を挿入し、これをそれぞれ、低域通過型フィルタ９０８、高域通過型フィルタ９１０に供給する。
【００２０】
低域通過型フィルタ９０８は、アップサンプラ９０７から供給される信号列における、図１０に示した帯域ＬＬに属する信号のみを通過させ、加算手段９１１へ供給する。
【００２１】
一方、高域通過型フィルタ９１０は、アップサンプラ９０９から供給される信号列における、図１０に示した帯域ＬＨ、ＨＬ又はＨＨに属する信号のみを通過させ、加算手段９１１へ供給する。
【００２２】
加算手段９１１は、低域通過型フィルタ９０８からの信号（帯域ＬＬ）と、高域通過型フィルタ９１０からの信号（帯域ＬＨ，ＨＬ，ＨＨ）とを加算し、高解像度映像の全帯域を再構成して、切替手段９０３に供給する。
【００２３】
切替手段９０３は、復号化装置に供給される符号が、低解像度映像に関する符号である場合には、低解像度映像復号化手段９０２から供給される信号を選択し、供給される符号が高解像度映像に関する符号である場合には、加算手段９１１から供給される信号を選択して、映像信号出力端子９０４に出力する。
【００２４】
このように、従来の符号化装置及び復号化装置では、高解像度映像の低域部分の符号化／復号化に旧来の低解像度映像と同様の低解像度映像符号化／低解像度映像復号化手段を用いることで、旧来の低解像度映像のみを扱う装置との間に互換性を実現している。すなわち、低解像度映像符号のみを旧来の復号化装置に供給すれば、高解像度映像の低域部分を再生することが可能である。
【００２５】
【発明が解決しようとする課題】
しかし、従来の装置では、旧来の低解像度映像のみを扱う装置との間に、互換性を実現する反面、高解像度映像の符号化および復号化としての品質に着目すると、低解像度映像符号化手段／低解像度復号化手段における劣化が高解像度映像全体としての符号化および復号化に多大な影響を与え、十分な品質を実現できないという問題がある。
【００２６】
従って、本発明の目的は、高品質な画質を維持しつつ、低解像度映像にのみ対応した装置との互換性を損なわずに、低解像度映像及び高解像度映像をそれぞれ符号化又は復号化し得る符号化装置及び符号化方法、復号化装置及び復号化方法、及び、画像データ伝送システムを提供することにある。
【００２７】
【課題を解決するための手段】
本発明によれば、低解像度の画像データ又は高解像度の画像データが入力される入力手段と、前記高解像度の画像データを低周波成分データと第１の高周波成分データとに分割する分割手段と、前記低解像度の画像データ又は前記低周波成分データを符号化する第１の符号化手段と、前記第１の高周波成分データを符号化する第２の符号化手段と、高域通過型フィルタを用いて前記低周波成分データをフィルタリングし、ダウンサンプリングすることにより前記低周波成分データにおける高周波成分データである第２の高周波成分データを抽出する抽出手段と、所定の条件を満たす場合に、前記抽出手段により抽出された前記第２の高周波成分データを前記第２の符号化手段に入力する付加手段と、を備え、前記第１の符号化手段は、データを複数のブロックに分割するブロック化部を備え、当該ブロック単位で符号化処理を実行するように構成され、前記付加手段は、当該ブロック単位で、当該ブロック毎の前記所定の条件を満たす場合に、前記抽出手段により抽出された前記第２の高周波成分データを前記第２の符号化手段へ入力するように構成され、前記所定の条件は、前記第１の符号化手段における量子化パラメータに関する条件とすることを特徴とする符号化装置が提供される。
【００２８】
また、本発明によれば、低解像度の画像データ又は高解像度の画像データが入力される入力手段と、前記高解像度の画像データを低周波成分データと第１の高周波成分データとに分割する分割手段と、前記低解像度の画像データ又は前記低周波成分データを符号化する第１の符号化手段と、前記第１の高周波成分データを符号化する第２の符号化手段と、高域通過型フィルタを用いて前記低周波成分データをフィルタリングし、ダウンサンプリングすることにより前記低周波成分データにおける高周波成分データである第２の高周波成分データを抽出する抽出手段と、所定の条件を満たす場合に、前記抽出手段により抽出された前記第２の高周波成分データを前記第２の符号化手段に入力する付加手段と、を備え、前記所定の条件は、画像のアクティビティ情報に関する条件とすることを特徴とする符号化装置が提供される。
【００２９】
また、本発明によれば、低解像度の画像データ又は高解像度の画像データが入力される入力手段と、前記高解像度の画像データを低周波成分データと第１の高周波成分データとに分割する分割手段と、前記低解像度の画像データ又は前記低周波成分データを符号化する第１の符号化手段と、前記第１の高周波成分データを符号化する第２の符号化手段と、高域通過型フィルタを用いて前記低周波成分データをフィルタリングし、ダウンサンプリングすることにより前記低周波成分データにおける高周波成分データである第２の高周波成分データを抽出する抽出手段と、所定の条件を満たす場合に、前記抽出手段により抽出された前記第２の高周波成分データを前記第２の符号化手段に入力する付加手段と、を備え、前記第１の符号化手段は、データを複数のブロックに分割するブロック化部を備え、当該ブロック単位で符号化処理を実行するように構成され、前記付加手段は、当該ブロック単位で、当該ブロック毎の前記所定の条件を満たす場合に、前記抽出手段により抽出された前記第２の高周波成分データを前記第２の符号化手段へ入力するように構成され、前記所定の条件は、前記ブロック毎の符号量に関する条件とすることを特徴とする符号化装置が提供される。
【００６５】
【発明の実態の形態】
以下、本発明の好適な実施の形態について、図面を参照して説明する。
【００６６】
図１は、本発明の一実施形態に係る高能率符号化装置のブロック図である。
【００６７】
図１において、高能率符号化装置は、映像信号入力端子１０１と、切替手段１０２と、前記第１の符号化手段としての低解像度映像符号化手段１０３と、低解像度映像符号の出力端子１０４と、前記分割手段としての低域通過型フィルタ１０５及びダウンサンプラ１０６若しくは高域通過型フィルタ１１１及びダウンサンプラ１１２と、抽出手段１０７と、前記付加手段としての抑制手段１０８と、前記第２の符号化手段としての高域符号化手段１０９と、高域符号の出力端子１１０と、を備える。
【００６８】
次に、係る構成を備える高能率符号化装置の作用について説明する。
【００６９】
まず、映像入力端子１０１に低解像度映像が入力された場合について説明する。映像入力端子１０１に供給された低解像度映像信号は、切替手段１０２を経由し、低解像度映像符号化手段１０３に供給される。
【００７０】
低解像度映像符号化手段１０３は、図２に示すように、ブロック化部２０１と、直交変換部２０２と、量子化部２０３と、エントロピー符号化部２０４と、からなり、低解像度映像信号を所定の領域毎にブロック化し、各ブロック単位で直交変換を施し、その変換係数を量子化して符号化する。低解像度映像符号化手段１０３は、その符号を出力端子１０４に出力する。
【００７１】
ここで、量子化部２０３は、直交変換部２０２からブロック単位で供給される直交変換係数を、量子化パラメータに応じた除数で除算し、エントロピー符号化部２０４に供給が、除数は１以上の正整数であり、大きい値であるほど、符号化に伴う画質の劣化が生じやすく、除数として１が選択されたブロック領域は符号化に伴う画質の劣化が極めて小さいものとなる。
【００７２】
次に、映像入力端子１０１に高解像度の映像が入力された場合について説明する。本実施形態では、該高解像度の映像は、水平垂直とも低解像度映像の２倍の画素数から成るものを想定している。すなわち、低解像度の映像が、ｎ×ｍ画素からなる場合、高解像度の映像は、Ｎ×Ｍ（Ｎ＝２ｎ、Ｍ＝２ｍ）である。
【００７３】
映像入力端子１０１に供給された高解像度映像信号は、低域通過型フィルタ１０５および、高域通過型フィルタ１１１に供給される。
【００７４】
高解像度映像信号は、低域通過型フィルタ１０５および高域通過型フィルタ１１１によって低域信号と高域信号に周波数分割されて、それぞれダウンサンプラ１０６又は１１２に供給される。
【００７５】
図７（ａ）は、低域通過型フィルタ１０５および高域通過型フィルタ１１１による周波数分割の例である。低域通過型フィルタ１０５は、図７（ａ）における二次元周波数領域ＬＬ、すなわち、水平垂直とも高解像度映像信号の半分の低帯域のみを通過させる。
【００７６】
一方，高域通過型フィルタ１１１は図７（ａ）におけるＬＨ，ＨＬ，ＨＨ領城のみを通過させる。
【００７７】
ダウンサンプラ１１２は、前記高域通過型フィルタ１１１から供給される信号列を各領域において水平垂直とも半分に間引き、高域符号化手段１０９に供給する。
【００７８】
ダウンサンプラ１０６は、低域通過型フィルタ１０５から供給される低域信号を水平垂直とも半分に間引き、低解像度映像と同一画素数の低解像度映像に変換し、切替手段１０２および抽出手段１０７に供給する。
【００７９】
切替手段１０２は、ダウンサンプラ１０６から供給される低域信号を選択して低解像度映像符号化手段１０３に供給する。低解像度映像符号化手段１０３は、供給された低域信号に対して、ブロック化、直交変換、量子化及びエントロピー符号化の各処理を施すことにより符号化して、その符号を出力端子１０４と抑制手段１０８とに供給する。
【００８０】
抽出手段１０７は、ダウンサンプラ１０６から供給される低解像度映像信号から符号化の劣化を補強するための信号を抽出し、抑制手段１０８に供給する。ここで、抽出手段１０７の処理を図３を参照して具体的に説明する。抽出手段１０７は、低解像度映像の符号化において顕著に劣化する高域成分を補強のための信号として抽出するものである。
【００８１】
図３において、抽出手段１０７は、高域通過型フィルタ３０１と、ダウンサンプラ３０２とを備える。高域通過型フィルタ３０１はダウンサンプラ１０６から供給される低域信号の高域成分を抽出し、ダウンサンプラ３０２に供給する。
【００８２】
ここでの高域成分は、低域信号を４分割したうち、最低周波成分を除く成分であり、図７（ｂ）に示すＬＬＬＨ，ＬＬＨＬ，ＬＬＨＨ領域の成分である。
【００８３】
ダウンサンプラ３０２は、供給される高域成分に係る信号列を各領域において水平垂直とも半分に間引き、抑制手段１０８に供給する。
【００８４】
抑制手段１０８は、低解像度映像符号化手段１０３から供給される低域信号の符号に応じて、袖出手段１０７で抽出した高域信号を抑制し、高域符号化手段１０９に供給する。ここで、抑制手段１０８の処理を図４を参照して具体的に説明する。
【００８５】
図４において、抑制手段１０８は、検出部４０１と、選択部４０２とを備える。検出手段４０１は、低解像度映像符号化手段１０３から供給される符号列に含まれる量子化パラメータを取出し、該パラメータに応じた制御信号を選択手段４０２に供給する。
【００８６】
選択手段４０２は、該制御信号に従って、抽出手段１０７から供給される高域信号を、選択的に高域符号化手段１０９に供給する。本実施形態では、量子化パラメータが示す量子化の除数が所定値以下のブロック領域に対しては、画質の劣化が許容範囲であると考えられるため、高域符号化手段１０９への高域信号の供給を遮断する。
【００８７】
一方、量子化の除数が所定値を越えるブロック領域においては、許容できない画質の劣化が生じると考えられるため、対応する領域の高域信号を補強信号として高域符号化手段１０９へ供給する。
【００８８】
なお、抑制手段１０８は、量子化の除数に代えて、ブロック単位の符号情報量の大小で抑制の必要性を検出し、抑制すべき補強信号（高域信号）を無効値に置き換える処理でも同様な効果が得られる。また、画像のアクティビティ情報に基づき、抑制の必要性を検出することもできる。
【００８９】
最後に、高域符号化手段１０９は、高域通過型フィルタ１１１から供給される高解像度映像の高域信号と、抑制手段１０８から供給される高解像度映像の低域信号のうちの高域信号と、をそれぞれ符号化して、高域符号を生成し高域符号出力端子１１０に出力する。
【００９０】
出力端子１０４及び１１０から出力される符号は、それぞれ受信側で受け取られて復号されることとなる。
【００９１】
次に、上述した高能率符号化装置に対応する高能率復号化装置について説明する。図５は、係る高能率復号化装置のブロック図である。
【００９２】
図５において、高能率復号化装置は、低解像度映像符号の入力端子５０１と、低解像度映像復号化手段５０２と、切替手段５０３と、映像信号出力端子５０４と、高域符号の入力端子５０５と、高域復号化手段５０６と、補強手段５０７と、アップサンプラ５０８と、低域通過型フィルタ５０９と、加算手段５１０と、アップサンプラ５１１と、高域通過型フィルタ５１２とを備える。なお、入力端子５０１と入力端子５０５とは、それぞれ、上述した高能率符号化装置の出力端子１０４及び出力端子１１０に、適当な伝送路を介して接続することにより、符号の伝送をすることができる。また、切替手段５０３は、低解像度の映像に係る符号が入力された場合は、映像信号出力端子５０４と低解像度映像復号化手段５０２とを接続し、高解像度の映像に係る符号が入力された場合には、映像信号出力端子５０４と加算手段５１０とを接続する。
【００９３】
係る構成からなる高能率復号装置の作用について、まず、上記高能率符号化装置によって符号化された低解像度映像の符号が供給される場合について説明する。
【００９４】
低解像映像符号入力端子５０１に供給される低解像度映像符号は、低解像度映像復号化手段５０２に供給され、エントロピー復号化、逆量子化、逆直交変換、ラスター化が施される。復号化された映像信号は、切替手段５０３に供給され、映像信号出力端子５０４に出力される。
【００９５】
次に、上記高能率符号化装置によって符号化された高解像度映像の符号が供給される場合について説明する。
【００９６】
入力端子５０１に供給される映像符号は図７（ａ）における周波数帯域ＬＬの信号に相当する。低解像度映像復号化手段５０２は、入力端子５０１から供給される映像符号にエントロピー復号化、逆量子化、逆直交変換、ラスター化を施すことで低解像度映像へ復号し、補強手段５０７に供給する。
【００９７】
一方、入力端子５０５に供給される高域符号は、高域復号化手段５０６に供給される。該高域符号は高解像度映像を符号化した際の、図７（ａ）における周波数帯域ＬＨ，ＨＬ，ＨＨおよび、同図（ｂ）における周波数帯域ＬＬＬＨ，ＬＬＨＬ，ＬＬＨＨの信号を符号化した符号である。
【００９８】
高域復号化手段５０６は、該高域符号をエントロピー復号化、逆量子化し、前記周波数帯域ＬＬＬＨ，ＬＬＨＬ，ＬＬＨＨに相当する信号列を補強手段５０７に、また、前記周波数帯域ＬＨ，ＨＬ，ＨＨに相当する信号列をアップサンプラ５１１に供給する。
【００９９】
補強手段５０７は、低解像度映像復号化手段５０２から供給される信号に含まれる劣化を前記高域復号化手段５０６から供給される信号によって補強し、アップサンプラ５０８へ供給する。図６は補強手段５０７のブロック図である。
【０１００】
図６において、補強手段５０７は、低域通過型フィルタ６０１と、加算手段６０２と、切替手段６０３と、アップサンプラ６０４と、高域通過型フィルタ６０５と、検出手段６０６と、を備える。
【０１０１】
低域通過型フィルタ６０１は、供給される低解像度映像の低域信号、すなわち図７（ｂ）における周波数帯域ＬＬＬＬを抽出し、加算手段６０２に供給する。アップサンプラ６０４は供給される信号列に対して水平垂直に０を挿入し、高域通過型フィルタ６０５に供給する。
【０１０２】
高域通過型フィルタ６０５は供給される信号列における図７（ｂ）帯域ＬＬＬＨ，ＬＬＨＬ，ＬＬＨＨ成分のみを通過させ、加算手段６０２に供給する。
【０１０３】
加算手段６０２は、供給された帯域ＬＬＬＨ，ＬＬＨＬ，ＬＬＨＨの信号と、帯域ＬＬＬＬの信号とを加算して、図７（ａ）帯域ＬＬの信号を再構成し、切替手段６０３に供給する。
【０１０４】
検出手段６０６は、記低解像度映像符号入力端子５０１から供給される符号列に含まれる量子化パラメータを取出し、該パラメータに応じた制御信号を切替手段６０３に供給する。
【０１０５】
切替手段６０３は、該制御信号に従って、低解像度映像復号化手段５０２から直接供給される信号と加算手段６０２によって再構成された信号とのいずれか一方を選択し、アップサンプラ５０８に供給する。ここでは、上述した高能率符号化装置に対応して、前記量子化パラメータが示す量子化の除数が所定値以下のブロック領域においては、補強は不要であると判断し、低解像度映像復号化手段５０２から直接供給される信号を選択し出力する。また、該除数が所定値を越えるブロック領域においては、劣化を許容できないと判断し、加算手段６０２から供給される信号を選択し出力する。
【０１０６】
アップサンプラ５０８は、供給される信号列に対して水平垂直に０を挿入し、低域通過型フィルタ５０９に供給する。低域通過型フィルタ５０９は、アップサンプラ５０８から供給される信号列における、図７（ａ）帯域ＬＬのみを通過させ、加算手段５１０へ供給する。
【０１０７】
一方、アップサンプラ５１１は、供給される信号列に対して水平垂直に０を挿入し、高域通過型フィルタ５１２に供給する。高域通過型フィルタ５１２は前記アップサンプラ５１１から供給される信号列における、図７（ａ）帯域ＬＨ，ＨＬ，ＨＨのみを通過させ、加算手段５１０へ供給する。
【０１０８】
加算手段５１０は、供給される前記帯域ＬＬと前記帯域ＬＨ，ＨＬ，ＨＨを加算し、高解像度映像の全帯域を再構成し、切替手段５０３に供給する。切替手段５０３は、加算手段５１０から供給される信号を選択して、映像信号出力端子５０４にこれを出力する。
【０１０９】
以上述べた通り、本実施形態の高能率符号化装置及び高能率復号化装置では、高解像度映像信号の低周波成分の符号化及び復号化については、従来と同様の低解像度映像に対する符号化手段及び復号化手段を利用しているため、高解像度の映像に対応していない従来装置との高い互換性を維持することができる。
【０１１０】
その一方で、該低周波成分中の高周波成分（ＬＬＨＨ，ＬＬＨＬ、ＬＬＬＨに相当する。）を別途抽出して、高解像度映像信号の高周波成分（ＨＨ，ＨＬ、ＬＨに相当する。）と共に符号化し、また、これを復号化して前記低周波成分の劣化を補強することにより、高い映像品質を実現することができる。この場合、劣化の無い又は少ない領域に対しては、補強を行わないこともできるので、情報量を削減でき、符号化の効率を損ねない作用を持つ。
【０１１１】
なお、本実施形態では、符号化装置と復号化装置との間で、低周波成分の符号と高周波成分の符号とを分離して出入力しているが、これらの符号を多重化して出入力してもよい。すなわち、これらの符号を磁気記録テープの同一トラックに混在して記録したり、周波数多重して単一の搬送波で伝達する装置も本発明に含まれるものである。
【０１１２】
以上、本発明の好適な実施の形態について説明したが、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【０１１３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【０１１４】
【発明の効果】
以上説明したように、本発明によれば、高品質な画質を維持しつつ、低解像度映像にのみ対応した装置との互換性を損なわずに、低解像度映像及び高解像度映像をそれぞれ符号化又は復号化することができる。
【図面の簡単な説明】
【図１】本発明の一実施形態に係る高能率符号化装置のブロック図である。
【図２】低解像度映像符号化手段１０３のブロック図である。
【図３】抽出手段１０７のブロック図である。
【図４】抑制手段１０８のブロック図である。
【図５】本発明の一実施形態に係る高能率復号化装置のブロック図である。
【図６】補強手段５０７のブロック図である。
【図７】（ａ）映像信号を高周波成分と低周波成分とに分割した態様を示す図である。
（ｂ）低周波成分を更に分割した態様を示す図である。
【図８】従来の高能率符号化装置のブロック図である。
【図９】従来の高能率復号化装置のブロック図である
【図１０】従来技術において、映像信号を高周波成分と低周波成分とに分割した態様を示す図である。
【符号の説明】
１０１  映像信号入力端子
１０２  切替手段
１０３  低解像度映像符号化手段
１０４  低解像度映像符号の出力端子
１０５  低域通過型フィルタ
１０６  ダウンサンプラ
１０７  抽出手段
１０８  抑制手段
１０９  高域符号化手段
１１０  高域符号の出力端子
１１１  高域通過型フィルタ
１１２  ダウンサンプラ
５０１  低解像度映像符号入力端子
５０２  低解像度映像復号化手段
５０３  切替手段
５０４  映像信号出力端子
５０５  高域符号入力端子
５０６  高域復号化手段
５０７  補強手段
５０８  アップサンプラ
５０９  低域通過型フィルタ
５１０  加算手段
５１１  アップサンプラ
５１２  高域通過型フィルタ
【図１】
0003809306.tif 000002
【図２】
0003809306.tif 000003
【図３】
0003809306.tif 000004
【図４】
0003809306.tif 000005
【図５】
0003809306.tif 000006
【図６】
0003809306.tif 000007
【図７】
0003809306.tif 000008
【図８】
0003809306.tif 000009
【図９】
0003809306.tif 000010
【図１０】
0003809306.tif 000011